(57)【要約】【課題】容器体側に係止部を設け、蓋体側に弾性復元変形可能な弾性片部を設け、弾性片部に押圧部を設け、弾性片部に押圧部の押圧釈放動作により係止部に係脱可能な弾性係止部を設けてなるからきる。【解決手段】容器体１及び蓋体２からなり、容器体側に係止部５を設け、蓋体側に弾性復元変形可能な弾性片部６を設け、弾性片部に押圧部８を設け、弾性片部に押圧部の押圧釈放動作により係止部に係脱可能な弾性係止部１０を設けてなる。【選択図】図１
2006082836.tif 000002
【特許請求の範囲】
【請求項１】
容器体及び蓋体からなり、上記容器体側に係止部を設け、上記蓋体側に弾性復元変形可能な弾性片部を設け、該弾性片部に押圧部を設け、該弾性片部に押圧部の押圧釈放動作により該係止部に係脱可能な弾性係止部を設けてなることを特徴とする食品保存容器。
【請求項２】
上記弾性片部を板バネ状に形成し、該板バネ状の弾性片部の両端部を上記蓋体に止着し、該板バネ状の弾性片部の略中央部に垂下部を設け、該垂下部に上記弾性係止部を設けてなることを特徴とする請求項１記載の食品保存容器。
【請求項３】
上記弾性係止部は切り起こし形成されていることを特徴とする請求項１記載の食品保存容器。
【請求項４】
上記容器体に板枠体を設け、該板枠体に上記係止部を形成してなることを特徴とする請求項１〜３のいずれか１項に記載の食品保存容器。
【請求項５】
上記容器体及び蓋体は抗菌ステンレス鋼板からなることを特徴とする請求項１〜４のいずれか１項に記載の食品保存容器。
【請求項６】
上記容器体をガラス容器に形成し、該容器体にリング体を設け、該リング体に上記係止部を形成してなることを特徴とする請求項１〜４のいずれか１項に記載の食品保存容器。
【発明の詳細な説明】
【技術分野】
【０００１】
本発明は、例えば、一般家庭で用いられる各種の調理食材や冷凍食品等を保存する際に用いられる食品保存容器に関するものである。
【背景技術】
【０００２】
従来、この種の食品保存容器として、合成樹脂製の容器体及び蓋体からなり、上記蓋体の周縁部に上記容器体の開口周縁部に捲り上げ可能な密嵌着部を形成してなる構造のものが知られている。
【特許文献１】特開２００１−１１４３１７
【発明の開示】
【発明が解決しようとする課題】
【０００３】
しかしながら上記従来構造の場合、蓋体により容器体内の密封度を高めることができるが、容器体の開口時には蓋体を大きな力で捲り上げなければならず、老人や女子、子供には非常に開け難いことがあるという不都合を有している。
【課題を解決するための手段】
【０００４】
本発明はこれらの不都合を解決することを目的とするもので、本発明のうちで、請求項１記載の発明は、容器体及び蓋体からなり、上記容器体側に係止部を設け、上記蓋体側に弾性復元変形可能な弾性片部を設け、該弾性片部に押圧部を設け、該弾性片部に該押圧部の押圧釈放動作により該係止部に係脱可能な弾性係止部を設けてなることを特徴とする食品保存容器にある。
【０００５】
又、請求項２記載の発明にあっては、上記弾性片部を板バネ状に形成し、該板バネ状の弾性片部の両端部を上記蓋体に止着し、該板バネ状の弾性片部の略中央部に垂下部を設け、該垂下部に上記弾性係止部を設けてなることを特徴とするものであり、又、請求項３記載の発明は、上記弾性係止部は切り起こし形成されていることを特徴とするものであり、又、請求項４記載の発明は、上記容器体に板枠体を設け、該板枠体に上記係止部を形成してなることを特徴とするものであり、又、請求項５記載の発明は、上記容器体及び蓋体は抗菌ステンレス鋼板からなることを特徴とするものである。
【０００６】
又、請求項６記載の発明は、上記容器体をガラス容器に形成し、該容器体にリング体を設け、該リング体に上記係止部を形成してなることを特徴とするものである。
【発明の効果】
【０００７】
本発明は上述の如く、請求項１記載の発明にあっては、容器体側に係止部を設け、上記蓋体側に弾性復元変形可能な弾性片部を設け、弾性片部に押圧部を設け、弾性片部に押圧部の押圧釈放動作により係止部に係脱可能な弾性係止部を設けてなるから、押圧部を押圧又は釈放することにより係止部と弾性係止部とを係脱することができ、係止部と弾性係止部との係止状態において、蓋体を閉蓋することができると共に係止部と弾性係止部との離脱状態において、蓋体を開蓋することができ、容器体の開閉時に蓋体を大きな力で捲り上げることもなく、老人や女子、子供でも容器体を容易に開閉することができる。
【０００８】
又、請求項２記載の発明にあっては、上記弾性片部を板バネ状に形成し、板バネ状の弾性片部の両端部を上記蓋体に止着し、板バネ状の弾性片部の略中央部に垂下部を設け、垂下部に上記弾性係止部を設けてなるから、構造を簡素化することができ、製作コストを低減することができ、又、請求項３記載の発明にあっては、上記弾性係止部は切り起こし形成されているから、弾性係止部を容易に製作することができ、又、請求項４記載の発明にあっては、上記容器体に板枠体を設け、板枠体に上記係止部を形成してなるから、容器体の形状の融通性を高めることができ、又、請求項５記載の発明にあっては、上記容器体及び蓋体は抗菌ステンレス鋼板からなるので、抗菌性及び防錆性を得ることができ、又、請求項６記載の発明にあっては、上記容器体をガラス容器に形成し、この容器体にリング体を設け、リング体に係止部を形成しているから、ガラス容器に適用することができる。
【発明を実施するための最良の形態】
【０００９】
図１乃至図８は本発明の実施の形態例を示し、図１乃至図６は本発明の実施の第一形態例、図７、図８は本発明の実施の第二形態例である。
【００１０】
図１乃至図６の本発明の実施の第一形態例において、１は容器体、２は蓋体であって、この場合、抗菌ステンレス鋼板により形成され、容器体１の開口周縁部に周縁部１ａを形成すると共に蓋体２の周縁部に周縁部２ａを形成し、この周縁部２ａにパッキン材２ｂを嵌合するパッキン嵌合凹部２ｃを形成して構成し、かつ、この容器体１の側壁部に板枠体３をリベットやビス等の止着材４により取り付け、この板枠体３の下縁を係止部５に形成して構成している。
【００１１】
６は弾性片部であって、この場合、弾性復元変形可能な板バネ状に形成され、この板バネ状の弾性片部６の両端部をリベットやビス等の止着材４・４により遊び状態で上記蓋体２に止着し、この板バネ状の弾性片部６の略中央部に垂下部７を一体に形成し、更に、この弾性片部６に半円板状の押圧部８の基部をかしめ部９により水平状に固着し、蓋体２の周縁部２ａに押圧部８の突出穴部２ｄを形成し、この弾性片部６の垂下部７に押圧部８の押圧釈放動作により該係止部５に係脱可能な弾性係止部１０を設け、この場合、弾性係止部１０を切り起こし形成している。
【００１２】
しかして、この場合、図５の係止状態において、押圧部８を容器体１の内方に向けて押圧すると弾性片部６は止着材４・４を支点として撓み動作し、図６の如く、この撓み動作により弾性係止部１０は係止部５から離脱し、この離脱状態において、蓋体２を持ち上げることにより開蓋することができ、又、蓋体２を容器体１に被嵌することにより図５の如く、弾性係止部１０は係止部５に係止し、閉蓋することができる。
【００１３】
この実施の第一形態例にあっては、容器体１側に係止部５を設け、上記蓋体２側に弾性復元変形可能な弾性片部６を設け、弾性片部６に押圧部８を設け、弾性片部８に押圧部８の押圧釈放動作により係止部５に係脱可能な弾性係止部１０を設けてなるから、押圧部８を押圧又は釈放することにより係止部５と弾性係止部１０とを係脱することができ、係止部５と弾性係止部１０との係止状態において、蓋体２を閉蓋することができると共に係止部５と弾性係止部１０との離脱状態において、蓋体２を開蓋することができ、容器体の開閉時に蓋体を大きな力で捲り上げることもなく、老人や女子、子供でも容器体１を容易に開閉することができる。
【００１４】
この場合、上記弾性片部６を板バネ状に形成し、板バネ状の弾性片部６の両端部を上記蓋体２に止着し、板バネ状の弾性片部６の略中央部に垂下部７を設け、垂下部７に上記弾性係止部１０を設けてなるから、構造を簡素化することができ、製作コストを低減することができ、又、この場合、上記弾性係止部１０は切り起こし形成されているから、弾性係止部１０を容易に製作することができる。
【００１５】
又、この場合、上記容器体１に板枠体３を設け、板枠体３に上記係止部５を形成してなるから、容器体１の形状の融通性を高めることができ、又、この場合、上記容器体１及び蓋体２は抗菌ステンレス鋼板からなるので、抗菌性及び防錆性を得ることができる。
【００１６】
図７、図８の第二形態例は別例構造を示し、この場合、上記容器体１をガラス瓶状のガラス容器に形成し、この容器体１の環状凹部１ｂにリング体１１を巻廻状に設け、リング体１１に上記係止部５を形成している。
【００１７】
この第二形態例にあっては、ガラス容器に適用することができると共に上記第一形態例と同様な作用効果を得ることができる。
【００１８】
尚、本発明は上記実施の形態例に限られるものではなく、例えば容器体１が合成樹脂、その他の材質のものにも適用することができ、このとき、係止体５は容器体１と一体に形成されることになり、又、蓋体２、係止部５、弾性片部６、押圧部８、弾性係止部１０等の材質や形態等は適宜変更して設計されるものである。又、上記形態例においては、容器体１の外方位置に係止部５が配置されているが、容器体１の内方位置に係止部５が配置された構造とすることもできる。
【００１９】
以上、所期の目的を充分達成することができる。
【図面の簡単な説明】
【００２０】
【図１】本発明の実施の第一形態例の全体側面図である。
【図２】本発明の実施の第一形態例の分離斜視図である。
【図３】本発明の実施の第一形態例の部分平面図である。
【図４】本発明の実施の第一形態例の部分側面図である。
【図５】本発明の実施の第一形態例の部分拡大側断面図である。
【図６】本発明の実施の第一形態例の部分拡大側断面図である。
【図７】本発明の実施の第二形態例の側面図である。
【図８】本発明の実施の第二形態例の側断面図である。
【符号の説明】
【００２１】
１    容器体
２    蓋体
３    板枠体
５    係止部
６    弾性片部
７    垂下部
８    押圧部
１０    弾性係止部
【図１】
2006082836.tif 000003
【図２】
2006082836.tif 000004
【図３】
2006082836.tif 000005
【図４】
2006082836.tif 000006
【図５】
2006082836.tif 000007
【図６】
2006082836.tif 000008
【図７】
2006082836.tif 000009
【図８】
2006082836.tif 000010